(57)【要約】【課題】乳児の移動を適度に規制して保護しつつも身体を拘束し過ぎずに横臥状態を維持することができる乳児保護具を提供。【解決手段】乳児保護具１は、支持面Ｓ１の上に設けられる平板状かつ弾性を有したシート体２と、このシート体２の上に着脱自在に取り付けられる弾性を有した一対の保護体３と、一対の保護体間に設けられる足台４と、を備え、保護体３が乳児の身体に沿って左右一対で設けられ、互いに所定間隔を開けて支持面Ｓ１に対して移動不能に設置される。【選択図】図１
2016209346.tif 000002
【特許請求の範囲】
【請求項１】
支持面の上に横臥した乳児を保護するための乳児保護具であって、
乳児の身体に沿って左右一対で設けられるとともに弾性を有した保護体を備え、
前記一対の保護体は、互いに所定間隔を開けて前記支持面に対して移動不能に設置されることを特徴とする乳児保護具。
【請求項２】
請求項１に記載された乳児保護具において、
前記一対の保護体は、互いに対向して前記支持面と略直角に立ち上がる対向面と、各対向面から外側に向かって下り傾斜を有する傾斜面と、を有して形成されていることを特徴とする乳児保護具。
【請求項３】
請求項１または請求項２に記載された乳児保護具において、
前記支持面の上に設けられる平板状かつ弾性を有したシート体をさらに備え、このシート体に前記一対の保護体が設けられていることを特徴とする乳児保護具。
【請求項４】
請求項３に記載された乳児保護具において、
前記シート体には、前記一対の保護体を着脱可能に保持する保持部が設けられていることを特徴とする乳児保護具。
【請求項５】
請求項１から請求項４のいずれかに記載された乳児保護具において、
前記一対の保護体間に設けられて乳児の足を載置するための足台をさらに備えることを特徴とする乳児保護具。
【発明の詳細な説明】
【技術分野】
【０００１】
本発明は、横臥した乳児を保護するための乳児保護具に関する。
【背景技術】
【０００２】
従来、乳児に親が添い寝できるように乳児用の布団と親用の布団とを備えた寝具が提案されている（例えば、特許文献１参照）。特許文献１に記載された寝具は、親用の布団と乳児用の布団とが連結部で連結可能に構成され、親と乳児との位置関係を適切に維持するようになっている。
【０００３】
一方、寝かせた乳児の体勢を横向きに維持させるための寝具が提案されている（例えば、特許文献２参照）。特許文献２に記載された寝具は、乳児の前側（腹部側）に位置する短いクッション体と、後側（背部側）に位置する長いクッション体と、これらのクッション体同士を連結する帯片と、を有して構成されている。
【先行技術文献】
【特許文献】
【０００４】
【特許文献１】特開２００９−２６１７３６号公報
【特許文献２】特開平９−３２２８４３号公報
【発明の概要】
【発明が解決しようとする課題】
【０００５】
しかしながら、特許文献１に記載されたような従来の寝具では、就寝中の親や乳児の移動が規制されないため、互いに寝返りすることで親が乳児の上に乗ったり、乳児の頭部に布団が被さったりという問題がある。一方、特許文献２に記載されたような従来の寝具は、乳児を前後から挟み込んで横向きの体勢を維持させるものであるため、自由な身体の動きを拘束してしまうという問題がある。
【０００６】
本発明の目的は、乳児の移動を適度に規制して保護しつつも身体を拘束し過ぎずに横臥状態を維持することができる乳児保護具を提供することである。
【課題を解決するための手段】
【０００７】
本発明の乳児保護具は、支持面の上に横臥した乳児を保護するための乳児保護具であって、乳児の身体に沿って左右一対で設けられるとともに弾性を有した保護体を備え、前記一対の保護体は、互いに所定間隔を開けて前記支持面に対して移動不能に設置されることを特徴とする。
【０００８】
このような本発明によれば、弾性を有した左右一対の保護体が乳児の身体に沿うとともに互いに所定間隔を開けて設けられるので、乳児の移動を適度に規制して保護することができるとともに、身体を拘束し過ぎずに横臥状態を維持させることができる。さらに、一対の保護体が支持面に対して移動不能に設置されることで、乳児が保護体とともに移動してしまうことが防げる。従って、例えば、ベッドや診察台の上などに保護体を設置した場合に、乳児が寝返りを打とうとしても左右の保護体によって動きが規制されるので、転落を防止することができる。
【０００９】
本発明では、前記一対の保護体は、互いに対向して前記支持面と略直角に立ち上がる対向面と、各対向面から外側に向かって下り傾斜を有する傾斜面と、を有して形成されていることが好ましい。
【００１０】
このような構成によれば、一対の保護体が支持面と略直角に立ち上がる対向面を有しているので、これらの対向面によって、その間に横臥した乳児の移動を規制することができる。すなわち、対向面を有さず、乳児側の面が傾斜面であったり円柱のような曲面であったりする保護具では、その傾斜面や曲面に乳児が乗り上げてしまう可能性があり、乳児の移動を十分に規制することができない。これに対して、左右の対向面が支持面から略直角に立ち上がる本発明の保護体であれば、乳児が寝返りしようとしても対向面を乗り越えることができず、乳児の移動を適度に規制することができる。
【００１１】
また、一対の保護体が対向面から外側に向かって下り傾斜を有する傾斜面を有しているので、一対の保護体に亘って掛け布団を掛けた場合に、この掛け布団が傾斜面に沿って両方の外側に下がるように設けられ、乳児側、すなわち一対の保護体間に掛け布団が落ちることが防止できる。従って、掛け布団が乳児の頭部にまとわりつくような事態が防止でき、乳児を適切に保護することができる。
【００１２】
本発明では、前記支持面の上に設けられる平板状かつ弾性を有したシート体をさらに備え、このシート体に前記一対の保護体が設けられていることが好ましい。
【００１３】
このような構成によれば、平板状かつ弾性を有したシート体の上に乳児を寝かせることで、乳児の快適性を高めることができる。さらに、支持面の上に設けたシート体に一対の保護体を設けることで、シート体が平板状の広い面で支持面に支持されることから、支持面とのずれを防いで一対の保護体の移動を防止することができる。
【００１４】
本発明では、前記シート体には、前記一対の保護体を着脱可能に保持する保持部が設けられていることが好ましい。
【００１５】
このような構成によれば、保持部によって一対の保護体をシート体に保持することで、保護体の移動を確実に防止することができる。また、シート体に一対の保護体が着脱可能に取り付けられることで、保護体を取り外して洗濯したり消毒したりすることができ、清潔さを保つことができる。ここで、保持部としては、例えば、面ファスナーやフック、クリップのような機械的な係合によって保護体とシート体とを連結するものでもよいし、接着によって連結するものでもよいし、保護体およびシート体の少なくとも一方に形成した壁や突起、凹凸によって相対移動を拘束するものでもよい。
【００１６】
本発明では、前記一対の保護体間に設けられて乳児の足を載置するための足台をさらに備えることが好ましい。
【００１７】
このような構成によれば、足台に乳児の足を載置することで、乳児をより安定して一対の保護体間に横臥させておくことができる。また、足台が一対の保護体間に設けられていることで、保護体同士が互いに接近する方向の移動を規制することができ、保護体の移動を防止することができる。
【図面の簡単な説明】
【００１８】
【図１】本発明の一実施形態に係る乳児保護具を示す斜視図
【図２】前記乳児保護具を示す分解斜視図
【図３】前記乳児保護具の一部を拡大して示す断面図
【図４】本発明の変形例に係る乳児保護具を示す側面図
【図５】本発明の他の変形例に係る乳児保護具を示す側面図
【発明を実施するための形態】
【００１９】
以下、本発明の一実施形態を図面に基づいて説明する。
図１は、本発明の実施形態に係る乳児保護具の斜視図であり、図２は、乳児保護具の分解斜視図である。
乳児保護具１は、図１に示すように、病院等の診察台Ｓに設置されるものであって、診察中の乳児を寝かせておくために利用される。診察台Ｓは、その幅×長さが６００ｍｍ×１６００ｍｍ程度の平面寸法を有した支持面Ｓ１を有し、床面から支持面Ｓ１までの高さが６００ｍｍ〜７００ｍｍ程度である。乳児保護具１は、支持面Ｓ１の上に設置されている。
【００２０】
乳児保護具１は、図２にも示すように、支持面Ｓ１の上に設けられる平板状かつ弾性を有したシート体２と、このシート体２の上に着脱自在に取り付けられる弾性を有した一対の保護体３と、一対の保護体間に設けられる足台４と、を備える。この乳児保護具１は、シート体２の上に横臥した乳児を保護するためのものであって、保護体３が乳児の身体に沿って左右一対で設けられ、乳児の足が足台４に載置されるようになっている。すなわち、乳児は、診察台Ｓの幅方向一方側（図１の左上方）に頭部を向け、他方側（足台４側）に足を向け、診察台Ｓの長手方向に交差して寝かせられる。
【００２１】
シート体２は、平面視略正方形状の薄板状に形成され、図３に示すように、下側（支持面Ｓ１側）に位置する基材２１と、この基材２１の上面を覆う表面材２２と、を有して構成されている。基材２１は、ウレタンやゴム等の弾性材からなり、その下面には、支持面Ｓ１に密着して滑りを防止する滑り止め加工が施されている。表面材２２は、ポリエステル繊維の織物を軟質な合成樹脂フィルムで挟んで一体成形したビニール系素材（例えば、ターポリン等）からなり、撥水性や耐水性、耐薬品性に優れ、アルコール消毒によって容易に洗浄できるようになっている。
【００２２】
保護体３は、全体略三角柱状に形成され、図３に示すように、ウレタンやゴム等の弾性材からなる芯材３１と、この芯材３１の表面を覆う表面材３２と、を有して構成されている。表面材３２は、シート体２の表面材２２と同様に、撥水性や耐水性、耐薬品性に優れたビニール系素材（例えば、ターポリン等）から構成されている。また、一対の保護体３は、それぞれシート体２の上面に載置される底面３３と、互いに対向する対向面３４と、対向面３４から外側に向かって下り傾斜を有する傾斜面３５と、を有して断面略直角二等辺三角形状に形成されている。このような保護体３の軸方向の長さ寸法としては、対象とする乳児の月齢によって適宜に設定可能であるが、例えば、乳児の身長と同程度の５００ｍｍ〜６００ｍｍ程度が好適である。
【００２３】
足台４は、図２に示すように、全体略直方体状に形成され、保護体３と同様に、ウレタンやゴム等の弾性材からなる芯材と、この芯材の表面を覆う表面材４１と、を有して構成されている。この足台４は、乳児の足を載せるための上面部４２と、シート体２の上面に載置される下面部４３と、を有して形成されている。また、足台４の幅寸法は、一対の保護体３における対向面３４同士の間隔寸法と略同一に形成されている。ここで、一対の保護体３における対向面３４同士の間隔寸法としては、対象とする乳児の月齢によって適宜に設定可能であるが、例えば、２００ｍｍ〜３００ｍｍ程度が好適である。
【００２４】
保護体３の底面３３と、これに対応するシート体２の上面と、には、それぞれ保持部としての面ファスナー２３，３６が設けられ、互いの面ファスナー２３，３６同士を係合させることによって、保護体３がシート体２に移動不能に保持されるようになっている。また、足台４の下面部４３と、これに対応するシート体２の上面と、には、それぞれ面ファスナー２４，４４が設けられ、互いの面ファスナー２４，４４同士を係合させることによって、足台４がシート体２に移動不能に保持されるようになっている。すなわち、保護体３および足台４は、シート体２に対して着脱自在に取り付けられ、シート体２から取り外すことによって、個別に洗浄、除菌、消毒することができるように構成されている。
【００２５】
以上の乳児保護具１を診察台Ｓに設置した状態において、図３に示すように、シート体２に取り付けられた保護体３は、その対向面３４が内側（乳児側）に位置して支持面Ｓ１から略直角に立ち上がって設けられる。この対向面３４の対向面３４の高さ寸法は、例えば、乳児の頭部寸法を基準にして、その半径以上かつ直径と同等程度以下、具体的には、１００ｍｍ〜１５０ｍｍ程度に設定されている。すなわち、乳児が寝返りを打とうとしても容易に乗り越えることができない程度の高さを対向面３４が有し、かつ乳児の横方向への移動を略垂直な対向面３４によって規制できるように、保護体３は形成されている。なお、保護体３の底面３３の幅寸法としては、乳児の移動に伴う押圧力によって保護体３が外側に転倒しない程度であればよく、対向面３４の高さ寸法と同等程度以上であればよい。
【００２６】
また、左右の保護体３に掛け渡すようにして掛け布団や毛布等を掛けた場合、その対向面３４の高さがあることによって、掛け布団等とシート体２の上面との間に隙間ができ、掛け布団等が乳児に巻き付いてしまうことが防止できる。さらに、掛け布団等が保護体３の傾斜面３５に沿って外側に下がって掛けられることから、乳児の動きによって引っ張られたとしても掛け布団等が移動しにくく、これによっても掛け布団等が乳児に巻き付くことが防止できるようになっている。なお、傾斜面３５には、掛け布団等の移動を抑制するための滑り止め加工が施されていてもよい。
【００２７】
このような本実施形態によれば、以下の作用・効果を奏することができる。
（１）弾性を有した左右一対の保護体３が乳児の身体に沿うとともに互いに所定間隔を開けて設けられるので、乳児の移動を適度に規制して保護することができるとともに、身体を拘束し過ぎずに横臥状態を維持させることができる。
【００２８】
（２）さらに、一対の保護体３がシート体２に取り付けられ、これによって支持面Ｓ１に対して移動不能に設置されることで、乳児が保護体３とともに移動してしまうことが防げる。従って、乳児が寝返りを打とうとしても左右の保護体３によって動きが規制されるので、診察台Ｓからの転落を防止することができる。
【００２９】
（３）一対の保護体３の対向面３４が支持面Ｓ１と略直角に立ち上がっているので、それら対向面３４間に横臥した乳児が寝返りしようとしても対向面３４を乗り越えることができず、乳児の移動を適切に規制することができる。
【００３０】
（４）一対の保護体３が対向面３４から外側に向かって下り傾斜を有する傾斜面３５を有しているので、一対の保護体３に掛け渡した掛け布団等が乳児側にずれ落ちることが防止でき、掛け布団等が乳児に巻き付くような事態が防止でき、乳児を適切に保護することができる。
【００３１】
（５）シート体２に一対の保護体３と足台４とが着脱可能に取り付けられることで、保護体３および足台４を取り外して洗浄したり除菌、消毒したりすることができ、清潔さを保つことができる。また、面ファスナー２３，３６によって保護体３をシート体２に移動不能に保持することで、保護体３の移動を確実に防止することができる。
【００３２】
（６）シート体２の上に乳児を寝かせることで、乳児の快適性を高めることができる。さらに、支持面Ｓ１に対してシート体２が滑らないようにしておき、このシート体２に一対の保護体３を取り付けることで、支持面Ｓ１に対して保護体３を移動不能に設置することができる。
【００３３】
（７）足台４に乳児の足を載置することで、乳児をより安定して一対の保護体３間に横臥させておくことができる。また、足台４が一対の保護体３間に設けられていることで、保護体３同士が互いに接近する方向の移動を規制することができ、一対の保護体３の間隔を維持することができる。
【００３４】
〔実施形態の変形〕
なお、本発明は、前記各実施形態に限定されるものではなく、本発明の目的を達成できる範囲での変形、改良等は本発明に含まれるものである。
例えば、前記実施形態では、乳児保護具１が病院等の診察台Ｓに設置される場合を例示したが、本発明の乳児保護具としては、病院等に限らず、家庭や保育所等において利用されてもよいし、診察台に限らず、ベッドや床、適宜な台等に設置されてもよい。
【００３５】
前記実施形態では、乳児保護具１は、シート体２と一対の保護体３と足台４とを備えていたが、本発明の乳児保護具としては、少なくとも一対の保護体を備えたものであればよく、シート体や足台は省略されてもよい。ここで、シート体が省略された場合には、保護体や足台は、支持面に保持されていればよい。また、前記実施形態では、シート体２と一対の保護体３と足台４とがそれぞれ別体で構成されていたが、これらが一体に形成されていてもよい。さらに、シート体２や保護体３、足台４の材質は、前記実施形態のものに限らず、適宜な素材が利用可能である。
【００３６】
前記実施形態では、一対の保護体３とシート体２とが保持部としての面ファスナー２３，３６によって連結されていたが、保持部としては面ファスナー２３，３６に限らず、図４に示すような構成を採用することができる。すなわち、図４に示す乳児保護具１Ａにおいて、シート体２の両端部には、支持面Ｓ１から上方に向かって立ち上がる壁部２５が形成され、これらの壁部２５によって一対の保護体３が保持されている。
【００３７】
前記実施形態では、保護体３が断面略直角二等辺三角形状に形成されていたが、保護体の形状としては三角形状に限らず、図５に示すような形状とすることができる。すなわち、図５に示す乳児保護具１Ｂにおいて、保護体３Ａは、断面略正方形状に形成されている。このような保護体３Ａは、保護体３と同様の底面３３と対向面３４とを有しているので、前記実施形態と同様に、乳児の移動を適度に規制して保護することができる。また、一対の保護体の対向面としては、支持面と略直角に立ち上がるものに限らず、傾斜や曲面を有して形成されていてもよい。
【産業上の利用可能性】
【００３８】
以上のように、本発明は、乳児の移動を適度に規制して保護しつつも身体を拘束し過ぎずに横臥状態を維持することができる乳児保護具に利用できる。
【符号の説明】
【００３９】
１    乳児保護具
２    シート体
３    保護体
４    足台
２３，３６  面ファスナー（保持部）
２５  壁部（保持部）
３４  対向面
３５  傾斜面
Ｓ１  支持面
【図１】
2016209346.tif 000003
【図２】
2016209346.tif 000004
【図３】
2016209346.tif 000005
【図４】
2016209346.tif 000006
【図５】
2016209346.tif 000007